(57)【要約】      （修正有）【課題】軽量で剛性あるスイングパネルを提供し、また住宅やビルの地震時の安全性、機能保持のために建築物構造体間に設けられるエキスパンジョイント構造体を提供する。【解決手段】固定板２と、固定板２の端部に回動可能に接合したハニカムパネル部３とからなるスイングパネル１である。上記の固定板２は、ステンレス鋼又はハニカムパネルが好ましい。また、２つの建築構造体の一方の構造体Ａに、上記のスイングパネル１の固定板２を固定し、ハニカムパネル部３を他の構造体Ｂに接しさせたエキスパンジョイント構造体である。【選択図】図３
0003134633.tif 000002
【実用新案登録請求の範囲】
【請求項１】
固定板と、該固定板の端部に回動可能に接合したハニカムパネル部とからなるスイングパネル。
【請求項２】
固定板が、ステンレス鋼であるスイングパネル。
【請求項３】
固定板が、ハニカムパネルであるスイングパネル。
【請求項４】
請求項１〜３のいずれかに記載のスイングパネルを使用したエキスパンジョイント。
【請求項５】
２つの建築構造体の一方の構造体に、請求項１〜３のいずれかに記載のスイングパネルの固定板を固定し、ハニカムパネル部を他の構造体に接しさせてなるエキスパンジョイント構造体。
【考案の詳細な説明】
【技術分野】
【０００１】
本考案は、固定板と、該固定板の端部に回動自在に取り付けたハニカムパネルとからなるスイングパネルに関する。また、本考案は、住宅やビルの地震時の安全性、機能保持のために、建物の構造体間に設けるエキスパンジョイント構造体に関する。
【背景技術】
【０００２】
近年、大型で且つ複雑な構造を持つ建築物が多く見られる。かかる大型で複雑な建築物は、複数の構造体で構成されるが、地震時の振動や気候環境等の変化に因って生ずる構造体間の複雑な位相のずれを吸収するシステムが必要である。そこで、構造体間にエキスパンジョイント機能を備えさせているが、従来、エキスパンション機能を持つ床や屋根や壁の施工には、それらの材料として、一般にはステンレス鋼板などの金属板が使用されている。しかし、金属板は、剛性はあるものの、重いため施工の際に労力を要し、扱いにくい。
【０００３】
また、ハニカムパネルは、アルミニウム箔などの金属箔からなるハニカムコア（六角形状のセルを有する蜂の巣状の構造物）の上下両面にアルミニウム合金板などの板からなる上面板及び下面板を接着剤で接着して一体化したものである。ハニカムパネルは、軽量で高剛性に優れるなどの性能を有するため、建物の内外装、ドアなどの建築分野において使用されている。
【考案の開示】
【考案が解決しようとする課題】
【０００４】
本考案は、軽量で剛性あるスイングパネルを提供することを目的とする。また、本考案は、住宅やビルの地震時の安全性、機能保持のために採用されるエキスパンションジョイントのうち、特に床部に設けられるエキスパンションジョイントに適する軽量なエキスパンションジョイント構造体を提供することを目的とする。
【課題を解決するための手段】
【０００５】
本考案は、固定板と、該固定板の端部に回動可能に接合したハニカムパネル部とからなるスイングパネルである。上記の固定板は、ステンレス鋼又はハニカムパネルが好ましい。また本考案は、上記のスイングパネルを使用したエキスパンジョイントである。更に本考案は、２つの建築構造体の一方の構造体に、上記のスイングパネルの固定板を固定し、ハニカムパネル部を他の構造体に接しさせてなるエキスパンジョイント構造体である。
【考案の効果】
【０００６】
本考案のスイングパネルを、エキスパンジョイントに使用した場合、従来のステンレス鋼板を使用した場合に比し、同じ強度を維持したとき、質量が約１／４になり、施工し易くなり、コストも安くなる。また、本考案のスイングパネルを、例えば床構造のエキスパンジョイントに使用した場合、回動可能のハニカムパネル部が軽量なため、構造体間の変位に対する追従が円滑になり、エキスパンジョイント機能を十分に発揮でき、構造体間の複雑な挙動に対応できる。
【考案を実施するための最良の形態】
【０００７】
本考案のスイングパネルを説明する。図１は、本考案のスイングパネルの一例の斜視図である。１は、スイングパネルである。２は、固定板であり、ステンレス鋼などの金属板で構成しても、ハニカムパネルで構成してもよい。３はハニカムパネル部であり、ハニカムパネルで構成されている。４は、固定板２の端部にハニカムパネル部３を接合した接合部である。この接合は、ハニカムパネル部３が固定板２に対し回動可能な接合である。３'はハニカムパネル部３が上方に回動したときの状態を示す。また３”は、ハニカムパネル部３が下方に回動したときの状態を示す。この回動可能な接合は、従来既知の種々の接合方式が採用できる。図１は、蝶番方式で接合した例であり、５は蝶番の軸である。また、図２の斜視図に示すように、固定板２とハニカムパネル部３のそれぞれの端に凹部６又は凸部７を設け、この凹部６と凸部７と嵌合させて回動自在に接合してもよい。
【０００８】
図３は、別個の建築構造体である構造体Ａと構造体Ｂとの間に、上記スイングパネルを使用して、エキスパンジョイントを設けたときの斜視図である。１はスイングパネルである。２は固定板、３はハニカムパネル部、４は接合部である。スイングパネル１の固定板を、構造体Ａの上面に接合部４が突出するようにして固着する。そして、スイングパネル１のハニカムパネル部３を構造体Ｂの上面に載置する。
【０００９】
例えば、構造体Ａと構造体Ｂとが地震時の振動や気候環境等の変化に因って上下にずれた場合、スイングパネル１のハニカムパネル部３が上下に回動して、構造体Ａと構造体Ｂを繋いだ状態で、この上下のずれにより構造体間に生じる応力を逃すので、エキスパンジョイント機能を十分に発揮できる。また、構造体Ａと構造体Ｂとが地震時の振動や気候環境等の変化に因って左右前後にずれた場合、スイングパネル１のハニカムパネル部３が、構造体Ｂの上面を左右前後に滑って、構造体Ａと構造体Ｂを繋いだ状態で、この左右前後のずれにより構造体間に生じる応力を逃すので、エキスパンジョイント機能を十分に発揮できる。
【実施例１】
【００１０】
厚さ７ｍｍの長方形のハニカムコアの四方をステンレス枠で囲み、その上下両面に、厚さ１ｍｍの面板を接着剤で接着して、固定板２に用いるハニカムパネル（幅１５００ｍｍ、長さ３００ｍｍ）とハニカムパネル部３に用いるハニカムパネル（幅１５００ｍｍ、長さ９００ｍｍ）を作成した。この固定板２に用いるハニカムパネルとハニカムパネル部３に用いるハニカムパネルとを、蝶番方式で長さ方向で接合して、スイングパネル１を作成した。その質量は約３０ｋｇであった。このスイングパネルは、厚さ９ｍｍのステンレス鋼板で同様に作成したスイングパネルと同等の強度を有していたが、その質量は約１／４であった。上記のハニカムパネル製スイングパネルは、エキスパンジョイント材として好適に用いられた。
【図面の簡単な説明】
【００１１】
【図１】本考案のスイングパネルの一例の斜視図。
【図２】本考案のスイングパネルの他の例の斜視図。
【図３】本考案のスイングパネルを使用したエキスパンジョイント構造の斜視図
【符号の説明】
【００１２】
１  スイングパネル、２  固定板、３  ハニカムパネル部、４  接合部、Ａ，Ｂ  建築構造体
【図１】
0003134633.tif 000003
【図２】
0003134633.tif 000004
【図３】
0003134633.tif 000005
【手続補正書】
【提出日】平成19年6月12日(2007.6.12)
【手続補正１】
【補正対象書類名】実用新案登録請求の範囲
【補正対象項目名】全文
【補正方法】変更
【補正の内容】
【実用新案登録請求の範囲】
【請求項１】
固定板と、該固定板の端部に回動可能に接合したハニカムパネル部とからなるスイングパネル。
【請求項２】
固定板が、ステンレス鋼である請求項１記載のスイングパネル。
【請求項３】
固定板が、ハニカムパネルである請求項１記載のスイングパネル。
【請求項４】
請求項１〜３のいずれかに記載のスイングパネルを使用したエキスパンジョイント。
【請求項５】
２つの建築構造体の一方の構造体に、請求項１〜３のいずれかに記載のスイングパネルの固定板を固定し、ハニカムパネル部を他の構造体に接しさせてなるエキスパンジョイント構造体。